(57)【特許請求の範囲】
【請求項１】
建築下地部材と、該建築下地部材に対向して設けられて裏面から表面へ貫通するボルト挿通孔を有した建築化粧部材との間に設けられ、前記建築下地部材に対する前記建築化粧部材の相対位置を調節自在としつつ当該建築化粧部材を前記建築下地部材に固定する固定部材であって、
前記建築下地部材に締結されて前記建築下地部材から前記建築化粧部材に向けて突出すると共に前記建築化粧部材のボルト挿通孔に挿通された固定ボルト、及び前記固定ボルトの先端側の端部に螺合するナットを備えた固定機構と、
前記建築下地部材に当接すると共に前記建築化粧部材の裏面に対して出退自在に設けられる調整ネジ、及び前記調整ネジが出退自在に螺合する螺合部を有して前記建築下地部材の裏面に固定される化粧側固定板を備える調整機構と、を備え、
前記固定機構の前記固定ボルト及び前記調整機構の前記調整ネジは、水平方向の位置を互いに一致させると共に鉛直方向に位置を互いに異にし、且つ、軸線方向を互いに平行として設けられており、
前記ナットと前記化粧側固定板とによって前記建築化粧部材を挟み込むことによって前記建築化粧部材を前記建築下地部材に固定する
ことを特徴とする固定部材。
【請求項２】
前記固定機構は、
前記建築下地部材に固定されると共に前記固定ボルトを前記建築化粧部材に向けて突出させた状態で固定する固定部を有する下地側固定板を更に備え、
前記下地側固定板は、前記建築化粧部材の裏面から突出する前記調整ネジの端部に当接する当接部を有する
ことを特徴とする請求項１に記載の固定部材。
【請求項３】
前記調整ネジは、前記固定ボルトの直下又は直上に位置づけられると共に、前記建築化粧部材に設けられたネジ挿通孔に挿通され、
前記化粧側固定板は、前記ネジ挿通孔に前記螺合部を一致させた状態で前記建築化粧部材に固定される
ことを特徴とする請求項１又は２に記載の固定部材。
【請求項４】
建築下地部材と、該建築下地部材に対向して設けられて裏面から表面へ貫通するボルト挿通孔を有した建築化粧部材との間に設けられ、前記建築下地部材に対する前記建築化粧部材の相対位置を調節自在としつつ当該建築化粧部材を前記建築下地部材に固定する固定部材であって、
前記建築化粧部材のボルト挿通孔を介して前記建築下地部材に締結される固定ボルトを備えた固定機構と、
前記建築下地部材に当接すると共に前記建築化粧部材の裏面に対して出退自在に設けられる調整ネジを備える調整機構と、を備え、
前記固定機構の前記固定ボルト及び前記調整機構の前記調整ネジは、水平方向の位置を互いに一致させると共に鉛直方向に位置を互いに異にし、且つ、軸線方向を互いに平行として設けられており、
前記固定機構は、
前記建築下地部材に固定されると共に前記固定ボルトを前記建築化粧部材に向けて突出させた状態で固定する固定部を有する下地側固定板と、
前記建築化粧部材のボルト挿通孔に挿通された前記固定ボルトの先端側の端部に螺合するナットと、を更に備え、
前記下地側固定板は、前記建築化粧部材の裏面から突出する前記調整ネジの端部に当接する当接部を有する
ことを特徴とする固定部材。
【発明の詳細な説明】
【技術分野】
【０００１】
本発明は、建物の壁等を柱に固定するための固定部材に関するものである。
【背景技術】
【０００２】
中低層住宅を含む建物では、軽量気泡コンクリート（ＡＬＣ）パネル等からなる外壁パネルを、躯体を構成する梁に取り付けると共に、隅部では該隅部に配置された柱に外壁と同一の材質を持ったコーナーパネルを取り付けて外壁を構成することが行われている。
【０００３】
外壁パネル等のパネルを躯体に取り付ける際に、躯体がパネルで覆われた後はパネル裏面側からの作業ができないことがある。従来、そのような場合の対処方法としては、予め躯体側からボルトを突設しておき、パネルに設けられた挿通孔にボルトを挿通し、ボルトの先端にナットを螺合させてパネルを固定する方法や、ドリルネジ等を用いてパネルを躯体に取り付ける方法などがあった。
【０００４】
前者の方法の場合、躯体側から突設したボルトの位置及びパネルのボルト挿通孔の位置でパネルの取り付け位置が決定されてしまい、躯体側から突設したボルトの位置又はパネルのボルト挿通孔の位置のどちらかに製造上あるいは施工上の誤差があった場合にパネル位置を修正することが難しいという問題があった。また、後者の方法の場合も、ドリルネジを電動工具でねじ込む際にパネルの位置がずれたまま固定してしまうとその後の修正が困難であるという問題があった。
【０００５】
このような問題を解決すべく、特許文献１には、建物の隅部に取り付けられるコーナーパネルを、柱固定金具を用いて、建物の隅部に沿った軸を中心に回動可能に柱に取り付ける構成が開示されている。また、コーナーパネルの側面に一対の調整ネジを出退可能に設け、当該調整ネジを調整することでコーナーパネルと柱との間の間隔やコーナーパネルの角度を調整する構成が開示されている。
【先行技術文献】
【特許文献】
【０００６】
【特許文献１】特開２００１−１８２２９５号公報
【発明の概要】
【発明が解決しようとする課題】
【０００７】
しかしながら、上記特許文献１の構成においては、一対の調整ネジを調整することで柱に対するコーナーパネルの向きを調整するものであるため、柱のパネル取付面の法線に対するコーナーパネルの取り付け角度を変化させること無く単にこれら柱とコーナーパネル間の間隔を調整する場合にも、一対の調整ネジの双方を回転させて調整を行う必要が生じる。すなわち、一方のネジを調整するたびにコーナーパネルの向きが微妙に変化することとなり、間隔調整に著しく手間が掛かることが考えられる。また、上記特許文献１の構成においては、向きを調整するための調整ネジの位置と、コーナーパネルを柱に取り付けるための固定ボルトの位置とが平面視でずれた位置に設けられている（水平方向の位置がずれている）。このため、一方の調整ネジを調整する度に建物の隅部に沿った軸（鉛直方向に沿った軸）を中心にコーナーパネルが回転してしまい、コーナーパネルの位置調整を感覚的に掴みにくく、施工性が悪いという問題もある。
【０００８】
そこで本発明は、このような従来技術の有する課題を解決するものであり、外壁パネル等の建築化粧部材と、建物の柱等や別の外壁パネル等の建築下地部材とを互いに固定する際に、これらの間の間隔を容易に位置調整することができる固定部材を提供することを目的とする。
【課題を解決するための手段】
【０００９】
上記課題を解決すべく、本発明に係る固定部材は、建築下地部材と、該建築下地部材に対向して設けられて裏面から表面へ貫通するボルト挿通孔を有した建築化粧部材との間に設けられ、建築下地部材に対する建築化粧部材の相対位置を調節自在としつつ当該建築化粧部材を建築下地部材に固定する固定部材であって、建築下地部材に締結されて建築下地部材から建築化粧部材に向けて突出すると共に建築化粧部材のボルト挿通孔に挿通された固定ボルト、及び固定ボルトの先端側の端部に螺合するナットを備えた固定機構と、建築下地部材に当接すると共に建築化粧部材の裏面に対して出退自在に設けられる調整ネジ、及び調整ネジが出退自在に螺合する螺合部を有して建築下地部材の裏面に固定される化粧側固定板を備える調整機構と、を備え、固定機構の固定ボルト及び調整機構の調整ネジは、水平方向の位置を互いに一致させると共に鉛直方向に位置を互いに異にし、且つ、軸線方向を互いに平行として設けられており、ナットと化粧側固定板とによって建築化粧部材を挟み込むことによって建築化粧部材を建築下地部材に固定することを特徴とする。
【００１０】
この発明では、一つの調整ネジを調整するだけで建築化粧部材と建築下地部材との間の間隔を調整することができ、これらの間の間隔をきわめて容易に調整することができる。また、固定ボルトと調整ネジとは水平方向の位置が互いに一致すると共に鉛直方向に位置が互いに異なり、且つ、軸線方向が互い平行となるように配置されている。これにより、調整ネジで建築化粧部材と建築下地部材との間の間隔を調整する前後で建築化粧部材が平面方向に回転することがなく、建築化粧部材の位置調整を感覚的に把握し易くなる。従って、建築化粧部材と建築下地部材とを互いに固定する際に、これらの間の間隔を容易に調整することができる。また、化粧側固定板を建築化粧部材に固定し、当該化粧側固定板の螺合部に調整ネジを螺合させることにより、当該調整ネジを建築化粧部材に対し出退させることができるものとなる。
【００１１】
また、固定機構は、建築下地部材に固定されると共に固定ボルトを建築化粧部材に向けて突出させた状態で固定する固定部を有する下地側固定板を更に備え、下地側固定板は、建築化粧部材の裏面から突出する調整ネジの端部に当接する当接部を有していることが好ましい。このように、下地側固定板の固定部に固定ボルトを取り付けることにより、固定ボルトを建築下地部材側から建築化粧部材側に向けて突出させることができる。また、固定ボルトに建築化粧部材のボルト挿通孔を挿通させてナットで固定することにより、建築化粧部材を建築下地部材に容易に留め付けることができる。また、下地側固定板には調整ネジの先端部が当接する当接部が設けられているので、間隔調整のために調整ネジを回転させても建築下地部材の表面を傷める虞はない。
【００１３】
また、調整ネジは、固定ボルトの直下又は直上に位置づけられると共に、建築化粧部材に設けられたネジ挿通孔に挿通され、化粧側固定板は、ネジ挿通孔に螺合部を一致させた状態で建築化粧部材に固定されることが好ましい。ここで、固定ボルトと調整ネジとの間の距離が離れれば離れるほど、調整ネジの調整により例えば建築化粧部材が撓む等して、建築化粧部材に間隔調整の結果が反映されない虞がある。そこで、上記のように固定ボルトの直下又は直上に調整ネジを設ける、すなわち、固定ボルトの近傍に調整ネジを設けることにより、調整ネジによる間隔調整がそのまま建築化粧部材に反映されることとなり、間隔調整の正確性を高めることができる。
更に、本発明に係る固定部材は、建築下地部材と、該建築下地部材に対向して設けられて裏面から表面へ貫通するボルト挿通孔を有した建築化粧部材との間に設けられ、建築下地部材に対する建築化粧部材の相対位置を調節自在としつつ当該建築化粧部材を建築下地部材に固定する固定部材であって、建築化粧部材のボルト挿通孔を介して建築下地部材に締結される固定ボルトを備えた固定機構と、建築下地部材に当接すると共に建築化粧部材の裏面に対して出退自在に設けられる調整ネジを備える調整機構と、を備え、固定機構の固定ボルト及び調整機構の調整ネジは、水平方向の位置を互いに一致させると共に鉛直方向に位置を互いに異にし、且つ、軸線方向を互いに平行として設けられており、固定機構は、建築下地部材に固定されると共に固定ボルトを建築化粧部材に向けて突出させた状態で固定する固定部を有する下地側固定板と、建築化粧部材のボルト挿通孔に挿通された固定ボルトの先端側の端部に螺合するナットと、を更に備え、下地側固定板は、建築化粧部材の裏面から突出する調整ネジの端部に当接する当接部を有することを特徴とする。
【発明の効果】
【００１４】
本発明によれば、建築化粧部材と建築下地部材とを互いに固定する際に、これらの間の間隔を容易に位置調整することができる。
【図面の簡単な説明】
【００１５】
【図１】実施形態に係る固定部材によってスティックパネルを固定した状態を示す水平方向の断面図である。
【図２】図１の固定部材の側面図である。
【図３】図１の固定部材の固定機構部を示す図である。
【図４】図１の固定ボルトを示す図である。
【図５】図１の固定部材の調整機構部を示す図である。
【図６】図１のスティックパネルの調整範囲を示す模式図である。
【図７】実施形態の変形例に係る固定部材によってスティックパネルを固定した状態を示す水平方向の断面図である。
【発明を実施するための形態】
【００１６】
以下、図面を参照しつつ、本発明に係る固定部材の好適な一実施形態について詳細に説明する。
【００１７】
図１に示すように、本実施形態の固定部材１は、建物Ａの柱（建築下地部材）１１０に取り付けられ、建物Ａの外壁としてのスティックパネル（建築化粧部材）１０１を柱１１０に対して固定している。ここで、本実施形態における建物Ａは、鉄骨造構造の工業化住宅であり、例えば３０５ｍｍの平面モジュールＭを有している。この建物Ａにおいては、平面モジュールＭの整数倍の値を用いて、間取りが設定される。また、建物Ａの外壁を構成する外壁パネル１０２等の大きさも、平面モジュールＭの整数倍の値が用いられている。
【００１８】
例えば、建物Ａの２階や３階の居室Ｌに隣接してベランダＶが設けられていると、居室Ｌを囲う外壁パネル１０２，１０３の接続部分に、ベランダＶの外周に配置される腰壁パネル１０５が接続される。外壁パネル１０２，１０３や腰壁パネル１０５は、建物Ａの柱１１０の略中心位置に端面が位置するように配置されるため、例えば、外壁パネル１０３と腰壁パネル１０５とを外面が互いに同一面となるように配置した場合、腰壁パネル１０５と外壁パネル１０２との間に隙間が生じる。本実施形態の固定部材１は、外壁パネル１０２と腰壁パネル１０５との間の隙間に配置されるスティック状のスティックパネル１０１を保持する。
【００１９】
このスティックパネル１０１、外壁パネル１０２，１０３、及び、腰壁パネル１０５は、一例として、軽量気泡コンクリート（ＡＬＣ）によって形成されている。柱１１０は、一例として角型鋼管が用いられている。
【００２０】
図１〜図５に示すように、固定部材１は、固定バンド１０、固定機構部（固定機構）２０、及び、調整機構部（調整機構）３０を含んで構成される。固定バンド１０は、柱１１０に巻き付けられ、両端部がそれぞれ固定機構部２０にネジ止めされる。これにより、固定機構部２０は、固定バンド１０によって柱１１０に固定される。固定バンド１０として、例えば、金属製のベルトが用いられる。
【００２１】
固定機構部２０は、柱側固定板（下地側固定板）２１、固定部２２、固定ボルト２５、及び、ナット２６を含んで構成される。柱側固定板２１は、固定片２１ａと固定片２１ｂとより構成され、固定片２１ａ（図３参照）と固定片２１ｂ（図２参照）の端部同士が略直角に接続されて、断面略Ｌ字状に形成されている。また、柱側固定板２１は、断面略Ｌ字状の内側の折り曲げ線が、柱１１０の角部に対向するように配置される。柱側固定板２１において、スティックパネル１０１と対向する固定片２１ａには、固定ボルト２５を固定するための固定部２２が設けられている。
【００２２】
固定部２２は、図３に示すように、柱１１０の長手方向（鉛直方向）に延びるスリット状のスライド孔２３を備えている。固定ボルト２５は、スライド孔２３に柱１１０側からスティックパネル１０１側に向けて差し込まれている。また、固定ボルト２５がスライド孔２３から脱落しないように、固定ボルト２５の軸部２５ａにはプッシュワッシャ２４（図２参照）が取り付けられる。ここで、固定ボルト２５は、図４に示すように、軸部２５ａと、ヘッド部２５ｂとより構成されている。また、固定ボルト２５の軸部２５ａにおいてヘッド部２５ｂ側の端部は、断面が矩形に形成された角型軸部２５ｃとなっている。固定ボルト２５をスライド孔２３に差し込んだときに、角型軸部２５ｃがスライド孔２３の側壁に当接することで、固定ボルト２５の回転が規制される。また、固定ボルト２５は、スライド孔２３のスリットの延び方向（柱１１０の長手方向）にスライド可能となっている。
【００２３】
固定片２１ａの固定部２２の近傍は、柱１１０に対向する側の面をスティックパネル１０１側に向けて窪ませた形状となっている。この窪みの深さは、少なくとも、固定ボルト２５のヘッド部２５ｂが隠れる深さとなっている。これにより、固定ボルト２５をスライド孔２３に差し込んだ状態で柱側固定板２１を柱１１０に当接させたときに、柱側固定板２１の固定片２１ａを柱１１０に密着させることができる。
【００２４】
スティックパネル１０１には、固定ボルト２５を通すためのボルト挿通孔１０１ａが設けられている。ボルト挿通孔１０１ａにおいて、固定ボルト２５が差し込まれる側の端部（固定ボルト２５をボルト挿通孔１０１ａ内に差し込む際の差込口となる側の端部）に対して反対側の端部には、大径部１０１ｂが形成されている。固定ボルト２５をボルト挿通孔１０１ａに差し込んで柱側固定板２１とスティックパネル１０１とを固定する際には、大径部１０１ｂ内にナット２６を落とし込み、固定ボルト２５の先端部にナット２６を螺合させる。これにより、ナット２６がスティックパネル１０１の外面から突出することがない。また、固定ボルト２５の長さは、スティックパネル１０１を固定したときに、固定ボルト２５がボルト挿通孔１０１ａを通り抜けてスティックパネル１０１の外面から突出することがない長さとなっている。
【００２５】
調整機構部３０は、パネル側固定板（化粧側固定板）３１、及び、調整ネジ３３を含んで構成されている。パネル側固定板３１は、調整ネジ３３が出退自在に螺合する螺合部３２を有している。パネル側固定板３１には、ビス孔３５が設けられ、ビス孔３５を介して差し込まれたビス３６によってスティックパネル１０１の裏面側に固定される。また、パネル側固定板３１には、スティックパネル１０１に固定されたときにスティックパネル１０１のボルト挿通孔１０１ａと対向する位置にボルト孔３４が設けられている。これにより、ボルト孔３４を介してスティックパネル１０１のボルト挿通孔１０１ａに固定ボルト２５を差し込むことができる。
【００２６】
調整ネジ３３は、一例として、ヘッド部３３ａと軸部３３ｂとが同一径のいわゆるイモネジであり、パネル側固定板３１の螺合部３２に螺合している。調整ネジ３３は、ヘッド部３３ａがパネル側固定板３１に対してスティックパネル１０１側となるように螺合部３２に螺合している。スティックパネル１０１には、調整ネジ３３との干渉を避けるためのネジ挿通孔１０１ｃが設けられている。すなわち、パネル側固定板３１の螺合部３２と、スティックパネル１０１のネジ挿通孔１０１ｃとが対向している。
【００２７】
調整ネジ３３は、当該調整ネジ３３のヘッド部３３ａ側からネジ挿通孔１０１ｃに差し込まれる。ネジ挿通孔１０１ｃにおけるパネル側固定板３１側に対して反対側の端部から、調整ネジ３３を調節するための工具Ｔ（図２参照）を差し込み、差し込んだ工具Ｔの先端を調整ネジ３３のヘッド部３３ａに係合させることができる。ネジ挿通孔１０１ｃに差し込んだ工具Ｔによって調整ネジ３３を回転させることで、スティックパネル１０１における柱１１０側の外面から突出する調整ネジ３３の突出長さを調節することができる。
【００２８】
なお、柱側固定板２１の固定片２１ａには、調整ネジ３３の柱１１０側の先端部が当接する当接部２７を備えている。これにより、調整ネジ３３の先端部が柱１１０に直接接触することがない。
【００２９】
固定ボルト２５と調整ネジ３３とは、水平方向の位置が一致する、すなわち、調整ネジ３３は、固定ボルト２５の近傍において、固定ボルト２５の位置の鉛直方向の直下に位置している。また、固定ボルト２５の軸線方向と調整ネジ３３の軸線方向とが互いに平行となるように、固定ボルト２５と調整ネジ３３とが配置されている。
【００３０】
次に、固定部材１を用いて、柱１１０に対してスティックパネル１０１を取り付ける手順について説明する。まず、固定部材１の固定機構部２０を、固定バンド１０を用いて柱１１０に固定する（図３参照）。固定機構部２０を柱１１０に固定する際に、予め、固定部２２によって固定ボルト２５を固定しておく。なお、ナット２６は、固定ボルト２５から取り外された状態とする。
【００３１】
次に、固定部材１の調整機構部３０を、ビス３６を用いてスティックパネル１０１に取り付ける（図５参照）。調整ネジ３３は、パネル側固定板３１をスティックパネル１０１に取り付ける前に螺合部３２に螺合させておいてもよく、パネル側固定板３１をスティックパネル１０１に取り付けた後に螺合部３２に螺合させてもよい。また、固定機構部２０の柱１１０への取り付けと、調整機構部３０のスティックパネル１０１への取り付けは、どちらを先に行ってもよい。
【００３２】
次に、固定ボルト２５の先端が調整機構部３０のボルト孔３４及びスティックパネル１０１のボルト挿通孔１０１ａを通るように、スティックパネル１０１を柱１１０の前に配置する。そして、固定ボルト２５の先端にナット２６を取り付けて、固定機構部２０に対してスティックパネル１０１を固定する。このとき、パネル側固定板３１から固定片２１ａ側に向けて調整ネジ３３を突出させておくことで、調整ネジ３３が突出する長さ分だけ、固定片２１ａとパネル側固定板３１との間に隙間が形成される。すなわち、柱１１０とスティックパネル１０１との間に所定の隙間を設けた状態で、柱１１０に対してスティックパネル１０１が固定される。
【００３３】
次に、柱１１０に取り付けられたスティックパネル１０１の位置の調整方法について説明する。図２に示すように、ネジ挿通孔１０１ｃに工具Ｔを差し込んで調整ネジ３３を回転させることで、スティックパネル１０１の外面からの調整ネジ３３の突出長さが変化し、柱１１０とスティックパネル１０１との間隔を調節することができる。なお、スティックパネル１０１の外面から調整ネジ３３を突出させる場合には、固定ボルト２５に螺合するナット２６を緩めておく。このように、調整ネジ３３を回転させることで、柱１１０にスティックパネル１０１を取り付けた後においても、柱１１０に対するスティックパネル１０１の位置を調節することができる。
【００３４】
ここで、本実施形態では、２つの固定部材１を用いて、スティックパネル１０１を柱１１０に固定している。この場合におけるスティックパネル１０１の位置の調節方法について説明する。図６（ａ）に示すように、柱１１０及びスティックパネル１０１を側方から見た場合、スティックパネル１０１は、スティックパネル１０１の上端近傍に配置された固定部材１Ａと、下端近傍に配置された固定部材１Ｂとによって、柱１１０に対して固定されている。なお、固定部材１Ａ，１Ｂは、それぞれ上述した固定部材１と同じものである。ここでは、説明の便宜上、異なる符合を付してある。
【００３５】
固定部材１Ａの調整ネジ３３、及び、固定部材１Ｂの調整ネジ３３を同じ長さだけスティックパネル１０１の外面から出退させることで、スティックパネル１０１を柱１１０に対して水平方向に平行移動させることができる。即ち、調整ネジ３３の調整によってスティックパネル１０１の軸方向に回転を伴わせること無くスティックパネル１０１と柱１１０との間の間隔を調整できるものとなっているのである。また、固定部材１Ａの調整ネジ３３におけるスティックパネル１０１の外面からの突出長さと、固定部材１Ｂの調整ネジ３３におけるスティックパネル１０１の外面からの突出長さと、を異なる長さに調節することで、例えば、スティックパネル１０１の上端部のみを柱１１０から離間させたり、或いは、下端部のみを柱１１０から離間させたりすることができる。
【００３６】
また、固定ボルト２５を固定するスライド孔２３は鉛直方向に延びている（図３参照）。従って、ナット２６を緩めることにより固定ボルト２５がスライド孔２３内で上下方向に移動可能となる。すなわち、スライド孔２３の鉛直方向の孔の長さの範囲内で、スティックパネル１０１を鉛直方向に移動させることができる。
【００３７】
また、固定ボルト２５が通るボルト挿通孔１０１ａの径は、固定ボルト２５の軸部２５ａの外径よりも所定の径だけ大きくなっている。同様に、調整ネジ３３が通るネジ挿通孔１０１ｃの径も、調整ネジ３３の外径よりも所定の径だけ大きくなっている。これにより、図６（ｂ）に示すように、スティックパネル１０１をベランダＶ側から見た場合、ナット２６を締め込んでスティックパネル１０１を固定する前に、固定ボルト２５とボルト挿通孔１０１ａとの径の違い、及び、調整ネジ３３とネジ挿通孔１０１ｃとの径の違いの分だけ、外壁パネル１０２側または腰壁パネル１０５側にスティックパネル１０１を移動させることができる。このとき、例えば、スティックパネル１０１の上端のみを外壁パネル１０２側に寄せたり、或いは、スティックパネル１０１の上端のみを腰壁パネル１０５側に寄せたりすることもできる。このように、固定ボルト２５とボルト挿通孔１０１ａとの径の違い、及び、調整ネジ３３とネジ挿通孔１０１ｃとの径の違いを利用してスティックパネル１０１の位置調整を行った後、ナット２６を締め込んでスティックパネル１０１を固定することができる。
【００３８】
以上のように、本実施形態に係る固定部材１を用いることで、柱１１０に対する位置を調整しながらスティックパネル１０１を柱１１０に固定することができる。これにより、例えば、外壁パネル１０２の外面とスティックパネル１０１の外面とが同一面となるように、スティックパネル１０１を固定することができる。また、例えば、スティックパネル１０１と外壁パネル１０２との間隔と、スティックパネル１０１と腰壁パネル１０５との間隔と、が同一となるようにスティックパネル１０１を柱１１０に固定することができる。
【００３９】
例えば、固定部材１を用いずにスティックパネル１０１を固定する場合、ビス等を用いて腰壁パネル１０５に対してスティックパネル１０１を固定する方法が考えられる。この場合、腰壁パネル１０５とスティックパネル１０１とが密着した状態となる。腰壁パネル１０５とスティックパネル１０１とが密着した状態では、スティックパネル１０１と腰壁パネル１０５との間にシーリング材を充填したときにシーリング材をスティックパネル１０１と腰壁パネル１０５との間に適正に入り込ませることができず、これらスティックパネル１０１と腰壁パネル１０５間のシーリング性が悪くなり、これらの間からパネル裏側に雨水等が侵入する虞があるのみならず、シーリング材が脱落しやすくなる虞がある。これに対して、固定部材１を用いてスティックパネル１０１を腰壁パネル１０５から独立させて柱１１０に固定することで、腰壁パネル１０５とスティックパネル１０１との間、及び、スティックパネル１０１と外壁パネル１０２との間に適切な隙間を確保することができ、これらの隙間にシーリング材を充填した場合におけるシーリング性の向上やシーリング材の脱落の防止を図ることができる。
【００４０】
また、本実施形態に係る固定部材１は、一つの固定部材１に対して一つの調整ネジ３３を調整するだけでスティックパネル１０１と柱１１０との間の間隔を調整することができ、これらの間の間隔をきわめて容易に調整することができる。また、固定ボルト２５と調整ネジ３３とは水平方向の位置が互いに一致すると共に鉛直方向に位置が互いに異なり、且つ、軸線方向が互い平行となるように配置されている。これにより、調整ネジ３３でスティックパネル１０１と柱１１０との間の間隔を調整する前後でスティックパネル１０１が平面方向に回転することがなく（鉛直方向を軸線方向として回転することがなく）、スティックパネル１０１の位置調整を感覚的に把握し易くなる。
【００４１】
また、固定片２１ａの固定部２２に固定ボルト２５を取り付けることにより、固定ボルト２５を柱１１０側からスティックパネル１０１側に向けて突出させることができる。また、固定ボルト２５にスティックパネル１０１のボルト挿通孔１０１ａを挿通させてナット２６で固定することにより、スティックパネル１０１を柱１１０に容易に留め付けることができる。また、柱側固定板２１の固定片２１ａには調整ネジ３３の先端部が当接する当接部２７が設けられているので、間隔調整のために調整ネジ３３を回転させても柱１１０の表面を傷める虞はない。
【００４２】
また、パネル側固定板３１をスティックパネル１０１に固定し、当該パネル側固定板３１の螺合部３２に調整ネジ３３ジを螺合させることにより、当該調整ネジ３３をスティックパネル１０１に対し出退自在に設けることができる。
【００４３】
ここで、固定ボルト２５と調整ネジ３３との間の距離が離れれば離れるほど、調整ネジ３３の調整により例えばスティックパネル１０１が撓む等して、スティックパネル１０１に間隔調整の結果が反映されない虞がある。そこで、上記のように固定ボルト２５の直下に調整ネジ３３を設ける、すなわち、固定ボルト２５の近傍に調整ネジ３３を設けることにより、調整ネジ３３による間隔調整がそのままスティックパネル１０１に反映されることとなり、間隔調整の正確性を高めることができる。
【００４４】
以上、本発明の一実施形態について説明したが、本発明は、上記実施形態に限定されるものではない。例えば、柱側固定板２１の固定片２１ａに固定部２２（スライド孔２３）や当接部２７が設けられているものとしたが、固定片２１ａ，２１ｂの両方にこれらが設けられていてもよい。この場合には、固定ボルト２５を、固定片２１ａ側の固定部２２又は固定片２１ｂ側の固定部２２に取り付けることで、所望の方向に固定ボルト２５を突出させることができ、所望の方向においてスティックパネル１０１を固定することができる。
【００４５】
また、柱側固定板２１を、断面略Ｌ字状としたが、柱１１０とスティックパネル１０１との間隔によっては、柱側固定板２１の形状を上記実施形態と異なる形状としてもよい。例えば、図７に示すように、柱１１０Ａが上記実施形態における柱１１０よりも細く、柱１１０Ａとスティックパネル１０１とが離れている場合、固定バンド１０によって柱１１０Ａに固定される柱側固定板２１Ａのうち、固定ボルト２５を固定する固定部２２及び当接部２７が形成される部位をスティックパネル１０１側に突出させた形状としてもよい。このように、柱側固定板２１Ａの形状を変形させることで、柱１１０Ａとスティックパネル１０１との距離が離れている場合や近い場合のいずれの場合であっても、スティックパネル１０１を固定することができる。
【００４６】
なお、上記では、スティック状のスティックパネル１０１を柱１１０，１１０Ａに取り付けるものとしたが、スティック状のパネルに限定されず、平板状のパネルを固定することもできる。また、角型鋼管の柱１１０に固定機構部２０を取り付けるものとしたが、角型鋼管以外にも、木製の柱や他の部材に固定機構部２０を取り付けてもよい。
【００４７】
また、固定ボルト２５の位置の鉛直方向の直下に調整ネジ３３を配置するものとしたが、固定ボルト２５の位置の鉛直方向の直上に調整ネジ３３を配置してもよい。
【符号の説明】
【００４８】
１…固定部材、２０…固定機構部（固定機構）、２１，２１Ａ…柱側固定板（下地側固定板）、２２…固定部、２５…固定ボルト、２６…ナット、２７…当接部、３０…調整機構部（調整機構）、３１…パネル側固定板（化粧側固定板）、３２…螺合部、３３…調整ネジ、１０１…スティックパネル（建築化粧部材）、１０１ａ…ボルト挿通孔、１０１ｃ…ネジ挿通孔、１１０，１１０Ａ…柱（建築下地部材）。
【図１】
0005848585.tif 000002
【図２】
0005848585.tif 000003
【図３】
0005848585.tif 000004
【図４】
0005848585.tif 000005
【図５】
0005848585.tif 000006
【図６】
0005848585.tif 000007
【図７】
0005848585.tif 000008